(57)【要約】  本発明は、外洋において浮かんでいて控え手段を介してアンカに結合された、風力タービン、サービスステーション又はコンバータステーション用の支持機構に関する。この支持機構は、特に、その確実かつ安定的な固定形態によって傑出している。そのために支持機構は、海面下に配置された第１の構成部分と、海面の上下にわたって延びる第２の構成部分とを有している。さらに第１の構成部分は、多角形の頂点に配置されていて第２の構成部分の支持体として働く第１の浮力体と、これらの第１の浮力体を互いに結合していて管状に形成された第２の浮力体とを有している。第１の浮力体には、少なくとも２つの第２の浮力体を互いに結合する接合構造体と、少なくとも１つのＵ字形に形成された接合プレートとが配置されており、接合構造体は同時に、管状の支持エレメントのための支持体であり、それにより、接合プレートとの繋がりにおいて、力を受け止めかつ誘導する、海面下支持機構の接合部である。第２の構成部分は、海面の上下にわたって延びる管状の支持エレメントを有していて、該支持エレメントは、支持手段を介して、風力タービン、サービスステーション又はコンバータステーション用の支持構造体に結合されている。
2016538477.tif 000002
【特許請求の範囲】
【請求項１】
外洋において浮かんでいて控え手段を介してアンカに結合された、風力タービン（１）、サービスステーション又はコンバータステーション用の支持機構（２）であって、
海面下に配置された第１の構成部分（３）であって、
多角形の頂点に配置されていて、一平面に対して垂直方向に延在しかつ、海面の上下にわたって延びる第２の構成部分（４）の支持体として用いられる第１の浮力体（５）と、
前記第１の浮力体（５）を互いに結合し、一平面に配置され、かつ管状に形成されている第２の浮力体（６）と、
を有する第１の構成部分（３）を備え、
前記第１の浮力体（５）に、
少なくとも２つの前記第２の浮力体（６）を互いに結合し、かつ放射状に形成された底面を有する接合構造体（７）と、
該接合構造体（７）に結合されていて、Ｕ字形に形成されていて、かつ前記第１の浮力体（５）を鉛直方向において部分的に分割する少なくとも１つの接合プレート（８）と、
が配置されており、
前記接合構造体（７）は同時に、海面の上下にわたって延びる管状の支持エレメント（９）のための支持体であり、それにより、前記接合プレート（８）との繋がりにおいて、力を受け止めかつ誘導する、海面下支持機構（３）の接合部であり、
前記第２の構成部分（４）は、前記第１の浮力体（５）に配置された、海面の上下にわたって延びる管状の前記支持エレメント（９）をさらに有し、該支持エレメント（９）は、支持手段（１０）を介して、風力タービン（１）、サービスステーション又はコンバータステーション用の支持構造体（１１）に結合されている、
ことを特徴とする、風力タービン、サービスステーション又はコンバータステーション用の支持機構。
【請求項２】
前記接合構造体（７）は、互いに間隔をおいて配置された２つのプレート（１２）から成っており、前記第２の浮力体（６）は、２つのビームもしくは放射状部に係合し、それにより前記第２の浮力体（６）の中空室は、前記接合構造体（７）を介して互いに接続されており、かつ前記プレート（１２）は、鉛直に配置された板を介して互いに結合されている、請求項１記載の支持機構。
【請求項３】
前記プレート（１２）は、鉛直方向外側に向かって前記第１の浮力体（５）の縁部へと突出する板を介して、互いに結合されており、かつ／又は前記プレート（１２）は、外側に向かって前記第１の浮力体（５）の縁部を越えて突出する板を介して、互いに結合されている、請求項１又は２記載の支持機構。
【請求項４】
前記接合構造体（７）は同時に、前記支持エレメント（９）のための支持体であり、又は前記支持エレメント（９）の端部領域を収容する管部分（９）である、請求項１記載の支持機構。
【請求項５】
前記支持エレメント（９）の前記端部領域、及び前記管部分（９）と前記接合構造体（７）の中央部分、のいずれか一方は、前記Ｕ字形に形成された接合プレート（８）の脚の間に位置している、請求項１又は４記載の支持機構。
【請求項６】
前記第１の浮力体（５）は、多角形としての四角形の頂点に配置されており、前記接合構造体（７）の前記底面は、十字であり、該十字の脚は、それぞれ互いの間において、直角又は９０°とは異なる角度を成している、請求項１記載の支持機構。
【請求項７】
前記浮力体（５，６）に、複数のリブ（１３）及び／又は少なくとも１つの環状の安定化リング（１４）が配置されている、請求項１から６までのいずれか１項記載の支持機構。
【請求項８】
アンカが、前記浮力体（５，６）に対応する領域に配置されており、前記アンカと、前記第１の浮力体（５）の前記接合構造体（７）、支持エレメント（９）又は前記第１の浮力体（５）の前記接合構造体（７）及び前記支持エレメント（９）とは、鉛直方向に方向付けられかつ／又は斜めに延びている少なくとも１つの控え手段（１５）を介して、互いに結合されており、かつ／又は１つ又は複数のアンカが、鉛直方向に方向付けられかつ／又は斜めに延びている少なくとも１つの控え手段（１５）を介して、第２の浮力体（６）に結合されている、請求項１から３までのいずれか１項記載の支持機構。
【請求項９】
支持エレメント（９）が、氷を砕きかつ氷の付着を防止する少なくとも１つの縁部又は円錐部を有している、又は少なくとも部分的に円錐形に形成されている、請求項１記載の支持機構。
【請求項１０】
前記支持エレメント（９）は、浮力機能のために中空に形成されている、請求項１記載の支持機構。
【請求項１１】
前記浮力体（５，６）は、少なくとも１つの中空室を有しており、該中空室は、海面下支持機構（３）としての位置決めのために、浮力体（５，６）の、海水を注入可能でかつガス状媒体を充填可能な中空室である、請求項１記載の支持機構。
【請求項１２】
前記支持構造体（１１）は、前記風力タービン（１）のマストの端部領域を収容する管部分（１１）、又はサービスステーション又はコンバータステーション用のプラットフォームである、請求項１記載の支持機構。
【発明の詳細な説明】
【技術分野】
【０００１】
本発明は、外洋において浮かんでいて控え手段を介してアンカに結合された、風力タービン、サービスステーション又はコンバータステーション用の支持機構に関する。
【０００２】
外洋における風力タービン用の、アンカに結合されて浮かんでいる浮力体は、例えば英国特許出願公開第２３７８６７９号明細書に基づいて公知である。そのために実現された浮体式基礎は、半径方向に延びる鋼製控えを介して風力タービンのタワーに結合された複数の浮力体から成っている。鋼製控えは、平面図で見て十字形に配置されていて、相互には結合されていない。構造物の半径方向の鋼製控えにおいて曲げ力が発生すると、このような曲げ力によって、大きな曲げモーメントが生ぜしめられる。
【０００３】
国際公開第２００７／０９６６８０号に基づいて公知の四角形の浮体式基礎では、頂点に配置された浮力体が互いに引張り棒及び押圧棒によって結合されて、三次元的な支持機構を形成している。中央の大きな浮力体は、タワーを支持し、このタワーは、傾斜ロープを介して、外側に位置する浮力体に向かって控えをとられている。この解決策は、かなり高い構造コストを必要とする。
【０００４】
米国特許第７１５６５８６号明細書に記載された浮体式支持機構は、半径方向でマストから離れる方向に控えをとるアームを有している。これらのアームは、その端部に浮力体を備えている。マスト位置を安定化させるために、浮力体とマストとの間には傾斜ロープが張られている。中央のマスト基部において、応力集中が発生し、このような応力集中は不都合を生ぜしめることがあり、少なくとも構造コストを高めることになる。
【０００５】
欧州特許出願公開第１２８８１２２号明細書には、複数の室を有する中実の浮体式プラットフォームが開示されており、複数の室は、潜水鐘の形式で空気を満たされ、これにより浮力を形成するのに利用することができる。このような浮体式基礎である装置は、高い材料コストに結び付いている。
【０００６】
欧州特許出願公開第１８７６０９３号サーチレポート及び独国特許出願公開第１０２００８００３６４７号明細書に開示された浮体式支持機構では、浮力体が、半径方向で中央構造物から離れる方向に延びる端部に設けられている。
【０００７】
国際公開第２０１１／０５７９４０号に基づいて、洋上風力タービンが公知である。この洋上風力タービンは、結合エレメントを介して風力タービンのタワーに結合された浮力体を有している。さらに洋上風力タービンは、タワー端部にカウンタバランスを有している。この公知の構成では結合エレメントは、タワーの周りに均一に複数のグループにおいて配置されている。１つの下側のグループは主としてタワーを支持し、かつ２つの上側のグループは、タワーを支持しかつ位置決めしている。上側のグループは、タワーの、互いに上下に位置する箇所に係合している。結合エレメントの均一な分配によって、タワーは浮力体に対して回転することができる。これによって、浮力体に対するタワーの位置が変化する。同時に、結合エレメントにおいては、タワーに対する結合エレメントの異なった角度によって、種々異なった力が発生する。均一な力分布はもはや与えられていない。
【０００８】
米国特許出願公開第２００５／０２０６１６８号明細書に開示された、洋上風力タービン用の支持構造体では、風力タービンのタワーが、格子構造を介して浮力体に結合されている。主エレメントは、タワーの周囲に均一に分配配置されたステーである。支持構造体に対するタワーの回転運動は、回避されていない。
【０００９】
国際公開第２００４／０５５２７２号には、利用可能な海洋開発を得ることができる、洋上風力タービンが開示されている。該風力タービンのタワーは、タワーに均一に固定されていてタワーの周りに分配配置されたエレメントを介して、浮力体に保持されている。この公知の構成においても、浮力体に対するタワーの回転運動は、回避されていない。
【００１０】
国際公開第２０１３／０４０８７１号には、横フレーム構造を介して互いに結合された少なくとも３つの浮遊するコンクリート製中空円筒体を有する、半潜水型の浮体式プラットフォームが開示されている。この公知の構成ではコンクリート製中空円筒体は、海面の上下にわたって延びる浮体式プラットフォームのための浮力体を形成している。
【００１１】
米国特許出願公開第２０１０／０２１９６４５号明細書に基づいて、それぞれエネルギ発生装置を有する少なくとも３つの浮体ユニットを有する、エネルギ発生のための浮体式装置が公知である。該浮体ユニットはそれぞれ、浮力体とエネルギ発生装置とを有している。浮体ユニット、ひいてはエネルギ発生装置は、三角形又は四角形の頂点に配置されている。
【００１２】
請求項１に記載した本発明の課題は、風力タービン、サービスステーション又はコンバータステーションとしての建造物を確実かつ安定的に固定する、外洋において浮かぶことができる支持機構を提供することである。
【００１３】
この課題は、請求項１に記載された特徴的な構成によって解決される。
【００１４】
外洋において浮かんでいて控え手段を介してアンカに結合された、風力タービン、サービスステーション又はコンバータステーション用の支持機構は、特にその確実かつ安定的な固定形態によって傑出している。
【００１５】
そのために支持機構は、海面下に配置された第１の構成部分と、海面の上下にわたって延びる第２の構成部分とを有している。
【００１６】
さらに第１の構成部分は、多角形の頂点に配置されていて一平面に対して垂直方向に延在しかつ第２の構成部分の支持体として働く第１の浮力体と、これら第１の浮力体を互いに結合し一平面に配置されかつ管状に形成された第２の浮力体とを有している。第１の浮力体に、少なくとも２つの第２の浮力体を互いに結合し、かつ放射状に形成された底面を有する接合構造体と、該接合構造体に結合されていてＵ字形に形成され、かつ第１の浮力体を鉛直方向において部分的に分割する少なくとも１つの接合プレートとが配置されている。接合構造体は同時に、海面の上下にわたって延びる管状の支持エレメントのための支持体であり、それにより、接合プレートとの繋がりにおいて、力を受け止めかつ誘導する、海面下支持機構の接合部である。第２の構成部分は、第１の浮力体に配置された、海面の上下にわたって延びる管状の支持エレメントを有しており、これらの支持エレメントは、支持手段を介して、風力タービン、サービスステーション又はコンバータステーション用の支持構造体に結合されている。
【００１７】
本発明のように構成されていると、支持機構は、立体支持機構の形の三次元的な支持機構を形成する。第１の浮力体と第２の浮力体とは、第１の浮力体の接合構造体を用いて互いに結合されている。このことは特に、全体として支持機構の１つの中空室を成しているか又は分割されて複数の中空室を成している中空室に対して言えることである。部分的に海面下に位置していて第１の浮力体に結合された支持エレメントの中空室は、さらに好ましくは同様に浮力体であってよい。このことは同様に、第１の浮力体の構成部分としての接合構造体にも当て嵌まり、接合構造体は、第１の浮力体が１つの中空室を形成する複数の中空室を成している。これによって接合構造体は、単に、力を受け止めかつ誘導する接合構造体ではなく、浮力体でもある。また第２の浮力体は、同時に第１の浮力体のためのスペーサをも形成している。
【００１８】
これによって、風力タービン、サービスステーション又はコンバータステーション用の支持機構であって、コンパクトで経済的に実現可能かつ使用可能な、外洋において浮かぶ支持機構が得られる。
【００１９】
アンカは、控え手段と共働して、設置箇所における支持機構の確実かつ固定的な位置決めを保証する。
【００２０】
本発明の好適な態様は、請求項２〜１２に記載されている。
【００２１】
請求項２記載の態様によれば、接合構造体は、互いに間隔をおいて配置された２つのプレートから成っており、第２の浮力体は、２つのビームもしくは放射状部に係合し、それにより第２の浮力体の中空室は、接合構造体を介して互いに接続されている。さらにプレートは、鉛直に配置された板を介して互いに結合されている。これによって接合構造体は、第１の浮力体の構成部分として、それ自体コンパクトな構造を形成する。これにより、浮力体の発生する力は、受け止められ、さらに誘導される。
【００２２】
このような力の受け止め及び誘導は一方では、アンカへと行われ、風力タービン、サービスステーション又はコンバータステーションの力も、支持エレメントを介して接合構造体へと導かれ、接合構造体によって受け止められる。
【００２３】
力の受け止め及び誘導は他方では、支持エレメントを介して行われ、支持エレメントは、控え手段を介してアンカに結合されている。
【００２４】
もちろん、接合構造体と支持エレメントとは互いに結合されていても、控え手段を介してさらにアンカに結合されていてもよい。
【００２５】
さらに請求項３記載の態様によれば、プレートは、鉛直方向外側に向かって第１の浮力体の縁部へと突出する板を介して、互いに結合され、かつ／又はプレートは、外側に向かって第１の浮力体の縁部を越えて突出する板を介して、互いに結合されていてよい。
【００２６】
請求項４記載の態様によれば、接合構造体は同時に、支持エレメントのための支持体であり、又は支持エレメントの端部領域を収容する、支持エレメントのための管部分である。
【００２７】
支持エレメントの端部領域又は管部分及び接合構造体の中央部分は、請求項５記載の態様によれば、Ｕ字形に形成された接合プレートの脚の間に位置している。これによって、コンパクトな構成を実現することができる。
【００２８】
第１の浮力体は、請求項６記載の態様によれば、多角形としての四角形の頂点に配置されている。さらに接合構造体の底面は、十字であり、該十字の脚は、それぞれ互いの間において、直角又は９０°とは異なる角度を成している。
【００２９】
請求項７記載の態様によれば、浮力体に、複数のリブ及び／又は少なくとも１つの環状の安定化リングが配置されている。このようなリブ及び安定化リングは、浮力体の安定性を高める。
【００３０】
請求項８記載の態様によれば、アンカが、浮力体に対応する領域に配置されている。さらにアンカと、第１の浮力体の接合構造体、支持エレメント又は第１の浮力体の接合構造体及び支持エレメントとは、鉛直方向に方向付けられかつ／又は斜めに延びている少なくとも１つの控え手段を介して、互いに結合されている。さらに、別のアンカ又は前記アンカが、鉛直方向に方向付けられかつ／又は斜めに延びている少なくとも１つの控え手段を介して、第２の浮力体に結合されていてもよい。特に斜めに延びている控え手段は、支持機構の回動を、それにより風力タービンの回動を阻止する。
【００３１】
請求項９記載の対象によれば、支持エレメントは、氷を砕きかつ氷の付着を防止する少なくとも１つの縁部、又は少なくとも部分的に円錐形を有している。縁部は、１つのプレート状の部材によって、又は互いに角度を成して配置されたプレート状の部材によって、支持体に形成されていてよい。さらに、少なくとも部分的に放射状に配置されたプレート状の部材が、支持体に代わりに配置されていてもよい。しかしながらまた支持体は、支持体を取り囲む円錐形に形成された部材を有していてもよい。支持体自体が、少なくとも部分的に円錐形に形成されているような態様も可能である。
【００３２】
請求項１０記載の好適な態様によれば、支持エレメントは、浮力機能のために中空に形成されている。
【００３３】
請求項１１記載の態様によれば、浮力体は、少なくとも１つの中空室を有している。この中空室は、海面下支持機構としての位置決めのために、浮力体における、海水を注入可能でかつガス状媒体を充填可能な中空室である。海面下支持機構を降下させるためには、単に、浮力体の中空室に海水が注入され、これによって海面下支持機構は、海底に向かって沈む。海底の表面又は海底の内部に配置されたアンカに、海面下支持機構を結合した後で、ガス状媒体が中空室内に押し込まれ、同時に、中空室内にある海水は弁を介して外に流出する。これによって、海面下支持機構は浮上する。海面下支持機構は、アンカ及び控え手段を用いて水面下に保たれる。
【００３４】
請求項１２記載の好適な態様によれば、支持構造体は、風力タービンのマストの端部領域を収容する管部分、又はサービスステーション又はコンバータステーション用のプラットフォームである。
【００３５】
次に図面を参照しながら、それぞれ原理的に示した本発明の１実施形態について、詳説する。
【図面の簡単な説明】
【００３６】
【図１】外洋において浮かんでいて控え手段を介してアンカに結合された、風力タービンを有する支持機構を示す図である。
【図２】第２の浮力体及び支持エレメントに結合された第１の浮力体を示す図である。
【００３７】
外洋において浮かんでいて控え手段１５を介してアンカに結合された、風力タービン１、サービスステーション又はコンバータステーション用の支持機構２は、主として、海面下に配置された第１の構成部分３と、海面の上下にわたって延びる第２の構成部分４とから成っている。
【００３８】
図１には、外洋において浮かんでいて控え手段を介してアンカに結合された、風力タービン１を有する支持機構が、原理図で示されている。
【００３９】
海面下に配置された第１の構成部分３は、多角形としての四角形の頂点に配置されていて一平面に対して垂直に延びている浮力体５を有している。この浮力体５はさらに、支持機構２の、海面の上下にわたって延びる第２の構成部分４の支持体として機能する。第１の浮力体５はさらに、管状に形成された浮力体６を介して互いに結合されており、これらの浮力体６は一平面に配置されている。第１の浮力体５はほぼ、閉鎖された中空の円筒部材の形状を有していて、この円筒部材は、壁としての管部材、ベースプレート及びカバープレートを備えている。壁は、第２の浮力体６のための切欠きもしくは開口を有していて、カバープレートは、支持エレメント９のための開口を有している。
【００４０】
図２には、第２の浮力体６及び支持エレメント９に関連した第１の浮力体５の原理図が示されている。
【００４１】
第１の浮力体５には、少なくとも２つの第２の浮力体６を互いに結合する接合構造体７が配置されていて、この接合構造体７は、放射状に形成された底面を有している。さらに、接合構造体７に結合されていて第１の浮力体５を鉛直方向において部分的に分割する、Ｕ字形に形成された接合プレート８が、浮力体５内に位置している。接合構造体７は同時に、海面の上下にわたって延びる管状の支持エレメント９のための支持体である。従って接合プレート８との繋がりにおいて、接合構造体７は、力を受け止めかつ誘導する、海面下支持機構３の接合部である。そのために接合構造体７自体は、互いに間隔をおいて配置された２つのプレート１２から成っており、第２の浮力体６は、２つのビームもしくは放射状部（Strahl）に係合し、これによって第２の浮力体６の中空室は、接合構造体７を介して互いに接続されている。支持エレメント９の端部領域及び接合構造体７の中央部分は、Ｕ字形に形成された接合プレート８の脚の間に位置している。接合構造体７のプレート１２は、鉛直に配置された板を介して互いに結合されている。接合構造体７の底面は、放射形状としての十字であり、十字の脚はそれぞれ互いの間において直角を成している。
【００４２】
プレート１２は１実施形態では、鉛直方向外側に向かって第１の浮力体５の縁部へと突出する板を介して、及び／又は外側に向かって第１の浮力体５の縁部を越えて突出する板を介して、互いに結合されている。浮力体５，６には、複数のリブ１３及び／又は少なくとも１つの環状の安定化リング１４が配置されている。
【００４３】
浮力体５，６は、少なくとも１つの中空室を有している。この中空室は、海面下支持機構３としての位置決めのために、浮力体５，６の、海水を注入可能でかつガス状媒体を充填可能な中空室である。
【００４４】
第２の構成部分４は、海面の上下にわたって延びる管状の支持エレメント９と、風力タービン１用の支持構造体１１を有する支持手段１０とを備えている。そのために支持構造体１１は、風力タービン１のマストの端部領域を収容する管部分１１である。
【００４５】
アンカは、第１の浮力体５に対応して配置されている。１つのアンカが、１つの第１の浮力体５の接合構造体７及び／又は１つの支持エレメント９に結合されていてよい。もちろんこれらはまた、控え手段を介して一緒に１つのアンカに結合されていてもよい。そのために控え手段１５は鉛直方向に方向付けられていて、かつ／又は斜めに延びている。さらに別のアンカ又は前記アンカは、鉛直方向に方向付けられかつ／又は斜めに延びている少なくとも１つの控え手段１５を介して、第２の浮力体６に結合されていてよい。
【図１】
2016538477.tif 000003
【図２】
2016538477.tif 000004
【国際調査報告】
2016538477.tif 000005
2016538477.tif 000006
2016538477.tif 000007
2016538477.tif 000008